(57)【要約】【課題】連通部でごみ洩れ、エアー漏れのない電気掃除機を提供する。【解決手段】集塵室（図示せず）を有すると共に吸込口体（図示せず）の上部に設けられた掃除機本体（図示せず）と、一端部に把手部１０を有する操作パイプ３と、操作パイプ３の一端に一端が接続され他端が掃除機本体に接続されるとともに操作パイプ３と集塵室とを連通する集塵ホース（図示せず）と、掃除機本体に着脱可能に装着されると共に操作パイプ３の他端部から伸縮自在に伸びる第２パイプ１１と、第２パイプ１１の他端部から伸縮自在に伸びる小径パイプ１６とを備え、第２パイプ１１内部で小径パイプ１６と操作パイプ３を連通させ、且つ小径パイプ１６と操作パイプ３との連通部２４を密閉する閉塞体２３を設けたもので、掃除機本体に操作パイプ３を装着して床面にスタンド収納したときの収納高さを低くでき、また閉塞体２３によりごみ、エアーの漏れが防止できる。【選択図】図３
2011206352.tif 000002
【特許請求の範囲】
【請求項１】
底面に吸込開口を有する吸込口体と、集塵室と電動送風機とを有するとともに前記吸込口体の上部に設けられた掃除機本体と、一端部に把手部を有する操作パイプと、前記操作パイプの一端部に一端が接続され他端が前記掃除機本体に接続されるとともに前記操作パイプと前記集塵室とを連通する集塵ホースと、前記掃除機本体に着脱可能に装着されると共に前記操作パイプの他端部から伸縮自在に伸びる第２パイプと、前記第２パイプの他端部から伸縮自在に伸びる第３パイプとを備え、前記第２パイプ内部で前記第３パイプと前記操作パイプを連通させ、且つ前記第３パイプと前記操作パイプとの連通部に同連通部を密閉する閉塞体を設けたことを特徴とする電気掃除機。
【請求項２】
閉塞体を弾性体で形成した請求項１に記載の電気掃除機。
【請求項３】
閉塞体を起毛布で形成した請求項１に記載の電気掃除機。
【請求項４】
閉塞体を、操作パイプの連通部内周壁面に接着して設けたことを特徴とする請求項１〜３のいずれか１項に記載の電気掃除機。
【請求項５】
閉塞体を、第３パイプの連通部外周壁面に接着して設けたことを特徴とする請求項１〜３のいずれか１項に記載の電気掃除機。
【発明の詳細な説明】
【技術分野】
【０００１】
本発明は、電気掃除機に関するもので、特に、掃除機本体に伸縮自在のパイプ手段を有する電気掃除機に関するものである。
【背景技術】
【０００２】
従来のこの種の電気掃除機として、図８に示されるようなものがある（例えば、特許文献１参照）。図８は、上記特許文献１に記載された従来の電気掃除機の概略構成図である。
図８において、従来の電気掃除機は、掃除機本体５０の下部に取り付けた吸口体５１と、上部に着脱可能に取り付けられた手元ハンドル組品５２と、この手元ハンドル組品５２と前記掃除機本体５０とを連通する柔軟性を備えた塵埃ホース５３とで構成される。
【０００３】
前記吸口体５１は、集塵室５４と連通され、床面で吸い取った塵埃を含む空気を掃除機本体５０に提供する。前記手元ハンドル組品５２は、所定の長さを備えた連結管５５と、この連結管５５を伸縮可能に収納する手元ハンドル５６とを含んで構成されている。
【０００４】
前記連結管５５は、所定の長さを備えた第１連結管５７と、この第１連結管５７に伸縮可能に収納される第２連結管５８とを含んで構成され、前記第１連結管５７の一端が前記手元ハンドル５６に取り付けられる。また、前記手元ハンドル５６は、握り部５９を備えている。
【０００５】
前記掃除機本体５０は、その上面に前記連結管５５を取り付けるための連結管取付部６０を備え、この連結管取付部６０に、前記第１連結管５７の一端を取り付けることにより、前記手元ハンドル組品５２と掃除機本体５０を連結することができる。これにより、手元ハンドル５６と第１連結管５７と掃除機本体５０が固定されるので、前記握り部５９を操作して床面の清掃を行うことができる。
【０００６】
一方、前記連結管取付部６０の近傍には、前記第１連結管５７を固定する固定機構部６１のロック状態を解除する着脱ボタン６２が設けられている。この着脱ボタン６２の操作で手元ハンドル組品５２を掃除機本体５０から取り外すことができる。この手元ハンドル組品５２は、掃除機本体５０と塵埃ホース５３で連通されているので、連結管５５の一端から塵埃を含んだ空気を取り込んで、手元ハンドル５６と塵埃ホース５３を経由して掃除機本体５０に取り込むことができる。この際、第１連通管５７から第２連通管５８を引き出して、その先端から床面以外の清掃を行うことができる。
【先行技術文献】
【特許文献】
【０００７】
【特許文献１】特開２００８−８００４３号公報
【発明の概要】
【発明が解決しようとする課題】
【０００８】
しかしながら、上記特許文献１に記載された従来の電気掃除機の構成では、手元ハンドル５６内に第１連結管５７を収納しているので、第１連結管５７を収納するスペースを手元ハンドル５６内に設ける必要があり、この為、手元ハンドル５６の長さが長くなり、手元ハンドル５６を縮めた時に掃除機本体５０から突出する長さが長くなり、掃除機本体５０に手元ハンドル５６を縮めて収納した床面からの収納高さが高くなるという課題を有していた。
【０００９】
この課題を解決する為に、図９に示すように、操作パイプ３の他端部から伸縮自在に伸びる第２パイプ１１の内部に操作パイプ３の一部を収納させ、更に前記第２パイプ１１の他端部から伸縮自在に伸びる第３パイプ１６を設け、前記第２パイプ１１内部で第３パイプ１６と操作パイプ３を連通させる構成が考えられるが、この場合、第３パイプ１６と操作パイプ３の連通部分の隙間から吸込んだごみがこぼれ落ちたり連通部分の隙間からのエアー漏れが発生し吸引力が低下するという課題を有していた。
【００１０】
本発明は、前記従来の課題を解決するもので、連通部でのごみのこぼれ落ちやエアー漏れを無くし、吸引力の低下を防止することが出来る、小型で使い勝手のよい電気掃除機を提供することを目的とする。
【課題を解決するための手段】
【００１１】
前記従来の課題を解決するために、本発明の電気掃除機は、底面に吸込開口を有する吸込口体と、集塵室と電動送風機とを有するとともに前記吸込口体の上部に設けられた掃除機本体と、一端部に把手部を有する操作パイプと、前記操作パイプの一端部に一端が接続され他端が前記掃除機本体に接続されるとともに前記操作パイプと前記集塵室とを連通する集塵ホースと、前記掃除機本体に着脱可能に装着されると共に前記操作パイプの他端部から伸縮自在に伸びる第２パイプと、前記第２パイプの他端部から伸縮自在に伸びる第３パイプとを備え、前記第２パイプ内部で前記第３パイプと前記操作パイプを連通させ、且つ前記第３パイプと前記操作パイプとの連通部に同連通部を密閉する閉塞体を設けたもので、操作パイプの他端部から伸縮自在に伸びる第２パイプ内部に操作パイプを収納させて設けたことにより、掃除機本体に操作パイプを装着して床面にスタンド収納した状態の収納高さを低くすることが出来ると共に第２パイプ内部で第３パイプと操作パイプを連通させ且つ第３パイプと操作パイプの連通部に同連通部を密閉する閉塞体を設けたことにより、連通部からのごみのこぼれ落ちを防止すると共に連通部からのエアー漏れを無くし吸引力の低下を防止することが出来るものである。
【発明の効果】
【００１２】
本発明の電気掃除機は、掃除機本体に操作パイプを装着して床面にスタンド収納した状態の収納高さを低くすることが出来る小型で使い勝手のよいものである。
【図面の簡単な説明】
【００１３】
【図１】本発明の実施の形態１における電気掃除機の掃除機本体の収納状態を示した斜視図
【図２】同電気掃除機の吸込口体による床面の掃除を行う場合を示した斜視図
【図３】（Ａ）同電気掃除機の第２パイプ部の断面図、（Ｂ）同第２パイプの摺動連結体部分の拡大断面図
【図４】同電気掃除機の操作パイプを収納した第２パイプを掃除機本体から取り外して掃除を行う場合を示した斜視図
【図５】本発明の実施の形態２における電気掃除機の第２パイプ部の摺動連結体部分の拡大断面図
【図６】本発明の実施の形態３における電気掃除機の第２パイプ部の摺動連結体部分の拡大断面図
【図７】同第２パイプ部の他の例を示す摺動連結体部分の拡大断面図
【図８】従来の電気掃除機の概略構成図
【図９】（Ａ）従来の電気掃除機における第２パイプ部の断面図、（Ｂ）同第２パイプ部の要部拡大断面図
【発明を実施するための形態】
【００１４】
第１の発明は、底面に吸込開口を有する吸込口体と、集塵室と電動送風機とを有するとともに前記吸込口体の上部に設けられた掃除機本体と、一端部に把手部を有する操作パイプと、前記操作パイプの一端部に一端が接続され他端が前記掃除機本体に接続されるとともに前記操作パイプと前記集塵室とを連通する集塵ホースと、前記掃除機本体に着脱可能に装着されると共に前記操作パイプの他端部から伸縮自在に伸びる第２パイプと、前記第２パイプの他端部から伸縮自在に伸びる第３パイプとを備え、前記第２パイプ内部で前記第３パイプと前記操作パイプを連通させ、且つ前記第３パイプと前記操作パイプとの連通部に同連通部を密閉する閉塞体を設けたもので、操作パイプの他端部から伸縮自在に伸びる第２パイプ内部に操作パイプを収納させて設けたことにより、掃除機本体に操作パイプを装着して床面にスタンド収納した状態の収納高さを低くすることが出来ると共に第２パイプ内部で第３パイプと操作パイプを連通させ且つ第３パイプと操作パイプの連通部に同連通部を密閉する閉塞体を設けたことにより、連通部からのごみのこぼれ落ちを防止すると共に連通部からのエアー漏れを無くし吸引力の低下を防止することが出来るものである。
【００１５】
第２の発明は、特に、第１の発明の閉塞体を弾性体で形成したもので、連通部の密閉性を確保すると共に操作パイプと第３パイプとの摺動操作性を確保することが出来るものである。
【００１６】
第３の発明は、特に、第１の発明の閉塞体を起毛布で形成したもので、通気性を持った起毛布を設けたことにより、連通部に設けた起毛布で連通部からのごみのこぼれ落ちを防止すると共にこぼれ落ちようとして連通部に溜まったごみを起毛布を通過する吸引風によって再び吸引することが出来る。また、起毛布を操作パイプ又は第３パイプに接触させることで操作パイプと第３パイプとの摺動操作性を確保すると共に摺動操作の繰返しによる磨耗等が無く耐久性を確保することが出来るものである。
【００１７】
第４の発明は、特に、第１〜３のいずれか１つの発明の閉塞体を、操作パイプの連通部内周壁面に接着して設けたもので、閉塞体または起毛布を安価に且つ組立て易く構成することが出来るものである。
【００１８】
第５の発明は、特に、第１〜３のいずれか１つの発明の閉塞体を、第３パイプの連通部外周壁面に接着して設けたもので、閉塞体または起毛布を安価に構成することが出来ると共に更に組立性を向上させることが出来るものである。
【００１９】
以下、本発明の実施の形態について、図面を参照しながら説明する。なお、この実施の形態によって本発明が限定されるものではない。
【００２０】
（実施の形態１）
図１は、本発明の実施の形態１における電気掃除機の掃除機本体の収納状態を示した斜視図、図２は、同電気掃除機の吸込口体による床面の掃除を行う場合を示した斜視図、  図３（Ａ）は、同電気掃除機の第２パイプ部の断面図、図３（Ｂ）は、同第２パイプの摺動連結体部分の拡大断面図、図４は、同電気掃除機の操作パイプを収納した第２パイプを掃除機本体から取り外して掃除を行う場合を示した斜視図である。
【００２１】
図１〜４において、本実施の形態における電気掃除機は、底面に図示しない吸込開口を有する吸込室（図示せず）を形成した吸込口体１と、掃除機本体２と、この掃除機本体２に着脱可能に装着されると共に伸縮可能な操作パイプ３を収納した第２パイプ１１とを備えている。
【００２２】
吸込口体１の後部には、前後方向に回動可能な回転管４が設けられており、この回転管
４は、吸込口体１の吸込室に連通されている。また、回転管４の上部は、後述する掃除機本体２の下部の接続部５に固定されている。掃除機本体２は、内部に形成された集塵室６と、この集塵室６を負圧にする電動送風機７と、集塵室６に着脱自在に装着された集塵フィルタ（紙パック）Ｆ（図示せず）等とを備えている。
【００２３】
また、掃除機本体２の上部には、取手８が一体的に設けられており、その後部側には集塵ホース９の一端が接続され、その集塵ホース９の他端が、操作パイプ３の後端部に接続されている。そして、集塵ホース９は、掃除機本体２の集塵室６に連通している。第２パイプ１１は、後部に把手部１０を設けた操作パイプ３の一部を内部に収納すると共に取付凹部１２を有している。
【００２４】
そして、第２パイプ１１の取付凹部１２を、掃除機本体２の接続開口１３に差し込み係合突出部（図示せず）に係合させると、図示しないロック機構により係合突出部が上記取付凹部１２にロックされて、操作パイプ３の一部を内部に収納した第２パイプ１１が掃除機本体２の長手方向のほぼ全域に装着される。この第２パイプ１１の先端部を掃除機本体２の接続開口１３に差し込むと、第２パイプ１１の先端部は奥で密閉されるようになっている。係合突出部のロックの解除は、掃除機本体２の取手８の上面に設けた解除レバー１５を引くことにより行われるようになっている。
【００２５】
また、操作パイプ３は、第２パイプ１１と、この第２パイプ１１内に挿入された第３パイプである小径パイプ１６とを有し、第２パイプ１１内部で小径パイプ１６と操作パイプ３は連通している。この第２パイプ１１内で操作パイプ３が摺動移動することにより第２パイプ１１が伸縮するものであり、そして、第２パイプ１１の摺動連結体１７に弾性体であるバネ２２によって支持されて設けられた伸縮動作ボタン１８を押すと、第２パイプ１１の摺動移動が可能となり、その伸縮動作ボタン１８の押圧を解除すると、第２パイプ１１はその位置でロックされるようになっている。
【００２６】
また２３は、第３パイプである小径パイプ１６と操作パイプ３の連通部２４に同連通部２４を密閉すよう設けられた弾性体からなる閉塞体で、操作パイプ３の内周壁面に接着して設けられており、閉塞体２３の内周先端は、小径パイプ１６の外周壁面に圧接され小径パイプ１６と操作パイプ３の連通部のごみ漏れ、エアー漏れを防止している。
【００２７】
そして弾性体からなる閉塞体２３の具体的な材質としては、天然ゴム、ウレタンゴム等のゴム材やエラストマー等の弾性を有する樹脂材で構成されている。
【００２８】
また第２パイプ１１の摺動連結体１７の部分は、第２パイプ１１及び操作パイプ３が掃除機本体２に装着された状態では掃除機本体２の接続開口１３から外部に露出した状態となる。したがって摺動連結体１７に設けられた伸縮動作ボタン１８は、掃除機本体２の外郭の一部として掃除機本体２の前面側に露出した構成となる。
【００２９】
更に、前記小径パイプ１６が第２パイプ１１内を摺動移動することにより更に伸縮するものである。そして、摺動連結部１９に設けたボタン２０を押すと、小径パイプ１６の摺動移動が可能となり、そのボタン２０の押圧を解除すると、小径パイプ１６はその位置でロックされるようになっている。
【００３０】
そして、吸込口体１は、回転管４、接続部５を介して集塵室６に連通しているが、掃除機本体２を立てた状態では、特に、図示しないが、連通が遮断される構造としている。また上記したように掃除機本体２に装着された第２パイプ１１の先端部は奥で密閉されるようになっている。したがって操作パイプ３、第２パイプ１１へと連通する小径パイプ１６の先端部からの吸込みは、掃除機本体２を立てた状態で、第２パイプ１１を掃除機本体２
から取外すことで使用することが出来るようになっている。
【００３１】
掃除機本体２の上部には、電動送風機７の電源スイッチ（操作スイッチ）２１が設けられている。
【００３２】
以上のように構成された本実施の形態における電気掃除機について、以下その動作、作用を説明する。
【００３３】
先ず、図２に示すように伸縮動作ボタン１８を押して第２パイプ１１の内部に収納された操作パイプ３を伸長させる。そして、電源スイッチ２１をオンにすると、電動送風機７が駆動されて集塵室６の空気が電動送風機７により吸引されていく。この吸引により集塵室６が負圧となり、この負圧が回転管４および吸込口体１の吸込室に作用し、吸込室の吸込開口から空気とともに塵埃が吸引されていく。
【００３４】
吸込室に吸引された空気および塵埃は回転管４を介して掃除機本体２の集塵室６へ吸引されていき、塵埃が集塵フィルタＦに集塵されていく。なお、集塵方式は集塵フィルタＦのないサイクロン方式であってもよい。
【００３５】
ここで、図１に示すように、前記操作パイプ３の他端部から伸縮自在に伸びる第２パイプ１１の内部に操作パイプ３の一部を収納させたことにより、掃除機本体２に操作パイプ３を収納した第２パイプ１１を装着して床面にスタンド収納した状態の収納高さを低くすることが出来るものであり、場所を取らず部屋の隅にコンパクトに電気掃除機を収納出来るものである。
【００３６】
操作パイプ３内部に第２パイプ１１を収納する構成とした場合は、第２パイプ１１を収納するスペースを操作パイプ３内部に必要とするため操作パイプ３の全長が長くなり、操作パイプ３を縮めた時に、掃除機本体２から突出する長さが長くなり、掃除機本体２に操作パイプ３を縮めて収納した床面からの収納高さが高くなってしまうという課題が生じてしまうものである。
【００３７】
また、第２パイプ１１の摺動連結体１７部分は、操作パイプ３が掃除機本体２に装着された状態では掃除機本体２の接続開口１３から外部に露出した状態（伸縮動作ボタン１８が掃除機本体２側に設けられた状態）となり、伸縮動作ボタン１８を本体外郭に露出させて掃除機本体２に収納したことにより、第２パイプ１１が掃除機本体２に収納された状態でも第２パイプ１１に設けた伸縮動作ボタン１８が本体外郭に露出している為、操作パイプ３の把手部１０を片方の手で握りもう片方の手で掃除機本体２側を保持しながら同時に伸縮動作ボタン８を操作することが出来るのでワンタッチ（１回の動作）で操作パイプ３を掃除機本体２から伸縮出来るものである。
【００３８】
そして、吸込口体１による床面の掃除を行う場合には、図２に示すように、操作パイプ３の把手部１０を持って掃除機本体２を前後に移動させれば床面などの掃除が行える。（この時、掃除機本体２に装着された第２パイプ１１の先端部は密閉されている。）
また、図４に示すように、操作パイプ３が収納された第２パイプ１１を掃除機本体２から取り外して掃除を行う場合、掃除機本体２を立てた状態で（掃除機本体２を立てた状態では、集塵室６への連通が遮断されている）掃除機本体２の上部に設けた解除レバー１５を引くことにより係合突出部のロックの解除を行い、操作パイプ３が収納された第２パイプ１１を掃除機本体２から取外すことで、小径パイプ１６の先端部から吸引された空気および塵埃は、第２パイプ１１、操作パイプ３および集塵ホース９を介して掃除機本体２の集塵室６へ吸引されていく。
【００３９】
ここで、第３パイプである小径パイプ１６と操作パイプ３の連通部２４に同連通部２４を密閉する閉塞体２３を設けたことにより、連通部２４からのごみのこぼれ落ちを防止すると共に連通部２４からのエアー漏れを無くし吸引力の低下を防止することが出来るものである。
【００４０】
また、上記閉塞体２３を、天然ゴム、ウレタンゴム等のゴム材やエラストマー等の弾性を有する樹脂材で構成したことにより、連通部２４の密閉性を確保すると共に操作パイプ３と第３パイプである小径パイプ１６との摺動操作性を確保することが出来るものである。
【００４１】
更に、上記閉塞体２３を、操作パイプ３の連通部２４の内周壁面に接着して設けたことにより、閉塞体２３を安価に且つ組立て易く構成することが出来るものである。
【００４２】
また、上記操作パイプ３の他端部から伸縮自在に伸びる第２パイプ１１を有し、更に前記第２パイプ１１の他端部から伸縮自在に伸びる第３パイプである小径パイプ１６を有し、前記第２パイプ１１の内部で小径パイプ１６と操作パイプ３とを連通、保持させたことにより、掃除機本体２から第２パイプ１１を抜いて操作パイプ３、第２パイプ１１、小径パイプ１６を伸ばした時の各パイプ部を吸引される塵埃の流れをスムーズにすると共に各パイプ部の端部の保持を確実にし強度を確保することが出来るものである。
【００４３】
特に、第２パイプ１１内部で小径パイプ１６の端部と操作パイプ３の端部とが連通、保持されることは操作パイプ３、第２パイプ１１、小径パイプ１６を伸ばした時のパイプ部全長の強度を向上させることが出来る。
【００４４】
前記第２パイプ１１内部で、小径パイプ１６と操作パイプ３とが連通されない構成とした場合、塵埃が吸引される流路は比較的径小の小径パイプ１６から径大の第２パイプ１１内に流れ込むがその後、径大の第２パイプ１１から第２パイプ１１よりも径小の操作パイプ３内に塵埃が吸引される構成となる為、塵埃のスムーズな流れは妨げられ、塵埃の引っ掛りや詰り等により塵埃が第２パイプ１１内部に吸引されずに堆積してしまう問題を生じさせるものである。
【００４５】
また、上記操作パイプ３内に第３パイプである小径パイプ１６を収納したことにより、掃除機本体２から操作パイプ３を収納した第２パイプ１１を抜いて伸ばした時の各パイプ部を吸引される塵埃の流れをスムーズにして塵埃の引っ掛りや詰りを防止することが出来るものである。
【００４６】
塵埃が吸引される流路は、比較的径小の小径パイプ１６から小径パイプ１６よりも径大の操作パイプ３内に塵埃が吸引される構成となる為、塵埃の流れをスムーズにして塵埃の引っ掛りや詰りを防止することが出来るものである。もし逆に、小径パイプ１６内に操作パイプ３を収納した場合、塵埃が吸引される流路内に、操作パイプ３の端面が塵埃が吸引される流れ方向に対して逆段差となって立ちはだかる構成となり、塵埃のスムーズな流れは妨げられ、塵埃の引っ掛りや詰り等の問題を生じさせるものである。
【００４７】
また、上記第２パイプ１１の他端部から伸縮自在に伸びる第３パイプである小径パイプ１６を設けたことにより、掃除機本体２から第２パイプ１１を抜いて、操作パイプ３、第２パイプ、小径パイプ１６を伸ばした時のパイプ部全長を長く確保することが出来るものである。
【００４８】
そして、電動送風機７により吸引された空気は、電動送風機７のモータ（図示せず）内を通ってこのモータを冷却していく。モータを冷却した空気は、電動室（図示せず）を介
して掃除機本体２に設けた図示しない排気孔から外へ排気されていく。
【００４９】
（実施の形態２）
図５は、本発明の実施の形態２における電気掃除機の第２パイプ部の摺動連結体部分の拡大断面図である。なお、上記実施の形態１における電気掃除機と同一部分については同一符号を付してその説明を省略する。
【００５０】
本実施の形態は、図５に示すように、上記第１の実施の形態における閉塞体２３に代え、通気性を有する起毛布３０を、第３パイプである小径パイプ１６と操作パイプ３の連通部２４に設けたものである。この起毛布３０は、操作パイプ３の内周壁面に接着して設けられており、起毛布３０の内周先端は小径パイプ１６の外周壁面に圧接され小径パイプ１６と操作パイプ３の連通部の細塵を除く粗いごみ等のごみ漏れを防止している。
【００５１】
第３パイプと操作パイプ３の連通部２４に、隙間を密閉する閉塞体２３では無く通気性を持った起毛布３０を設けたことにより、連通部２４に設けた起毛布３０で連通部２４からのごみのこぼれ落ちを防止すると共にこぼれ落ちようとして連通部２４に溜まったごみを起毛布３０を通過する吸引風によって再び吸引することが出来るものである。
【００５２】
また、起毛布３０を、第３パイプである小径パイプ１６に接触（圧接）させることで操作パイプ３と小径パイプ１６との摺動操作性を確保すると共に、摺動操作の繰返しによる磨耗等を無くし耐久性を確保することが出来るものである。
【００５３】
本実施の形態では、通気性を有する起毛布３０は、基材３１に植毛された毛３２から構成され、毛３２を基材３１に密に植毛することでかなり細かな塵埃までのごみ漏れを防止することが出来ると共に連通部２４からのエアー漏れをある程度抑えることが出来、吸引力の低下を比較的改善することが出来るものである。
【００５４】
逆に、毛３２を基材３１に粗に植毛するようにすれば、こぼれ落ちようとして連通部２４に溜まったごみを比較的強力に吸引することが出来るものである。
【００５５】
また、上記起毛布３０を、操作パイプ３の連通部２４の内周壁面に接着して設けたことにより、起毛布３０を安価に且つ組立て易く構成することが出来るものである。
【００５６】
（実施の形態３）
図６は、本発明の実施の形態３における電気掃除機の第２パイプ部の摺動連結体部分の拡大断面図、図７は、同第２パイプ部の他の例を示す摺動連結体部分の拡大断面図である。なお、上記実施の形態における電気掃除機と同一部分については同一符号を付してその説明を省略する。
【００５７】
上記実施の形態１では、閉塞体２３を操作パイプ３の内周壁面に接着して設けたが、本実施の形態は、図６に示すように、同閉塞体２３を、小径パイプ１６の外周壁面に接着し、その閉塞体２３の外周先端が、操作パイプ３の内周壁面に圧接されるようにしたものである。
【００５８】
同様に、上記実施の形態２では、起毛布３０を、操作パイプ３の内周壁面に接着して設け、その起毛布３０の内周先端を、小径パイプ１６の外周壁面に圧接するようにしたが、図７に示すように、起毛布３０を、小径パイプ１６の外周壁面に接着して設け、その外周先端を、操作パイプ３の内周壁面に圧接するようにしても良い。
【００５９】
これによって、閉塞体２３または起毛布３０を安価に構成することが出来ると共に小径
パイプ１６の外周壁面に接着させることで閉塞体２３または起毛布３０の接着作業性を良くし、更に組立性を向上させることが出来るものである。
【産業上の利用可能性】
【００６０】
以上のように、本発明にかかる電気掃除機は、掃除機本体に操作パイプを装着して床面にスタンド収納した状態の収納高さを低くすることが出来るため、家庭用、業務用等の電気掃除機に幅広く応用できる。
【符号の説明】
【００６１】
２  掃除機本体
３  操作パイプ
１０  把手部
１１  第２パイプ
１６  小径パイプ（第３パイプ）
１７  摺動連結体
１９  摺動連結部
２３  閉塞体
２４  連通部
３０  起毛布
【図１】
2011206352.tif 000003
【図２】
2011206352.tif 000004
【図３】
2011206352.tif 000005
【図４】
2011206352.tif 000006
【図５】
2011206352.tif 000007
【図６】
2011206352.tif 000008
【図７】
2011206352.tif 000009
【図８】
2011206352.tif 000010
【図９】
2011206352.tif 000011